(57)【特許請求の範囲】
【請求項１】
電話交換装置の全体を制御するメイン主装置と、該メイン主装置をバックアップする複数のサブ主装置とを備えた前記電話交換装置と、前記メイン主装置およびサブ主装置とLANを介して接続されて通信を行うPCと、を具備する、電話交換装置とPCとの再接続システムであって、
前記複数のサブ主装置は、予め順位が定められており、前記メイン主装置に障害が発生したときに前記順位に応じて前記メイン主装置として動作し、また、現在メイン主装置として動作するサブ主装置に障害が発生したときに前記順位に応じて前記メイン主装置として動作するとともに、前記PCからの接続要求を受け付けると、自身が現在メイン主装置として動作している場合にはその旨を通知し、自身が現在メイン主装置として動作していない場合にはその旨と現在メイン主装置として動作するサブ主装置のIPアドレスを通知する手段を有し、
前記PCは、
前記メイン主装置との通信断を検出する手段と、
前記メイン主装置および複数のサブ主装置それぞれのIPアドレスを記憶する手段と、
前記通信断を検出する手段がメイン主装置との通信断を検出すると、前記IPアドレスを記憶する手段に記憶されている前記複数のサブ主装置それぞれのIPアドレスに対し接続を試み、接続を試みたサブ主装置からの通知が、該サブ主装置が新たなメイン主装置であることを示す場合には、該新たなメイン主装置と通信を行い、接続を試みたサブ主装置からの通知が、該サブ主装置が新たなメイン主装置でないことを示す場合には、ともに送られてきたIPアドレスのサブ主装置に接続を行う手段とを有する、電話交換装置とPCとの再接続システム。
【請求項２】
請求項１に記載の電話交換装置とPCとの再接続システムにおいて、
前記PCは、新たにメイン主装置となったサブ主装置のIPアドレスが、前記IPアドレスを記憶する手段に予め設定されていない場合、前記サブ主装置のIPアドレスを前記IPアドレスを記憶する手段に追加設定する、電話交換装置とPCとの再接続システム。
【請求項３】
請求項１または請求項２に記載の電話交換装置とPCとの再接続システムにおいて、
前記メイン主装置とPCとの間の通信データは、前記電話交換装置で算出した通話料金データであり、
前記PCは、通話料金を管理、集計する通話料金管理手段を有する、電話交換装置とPCとの再接続システム。
【請求項４】
電話交換装置のメイン主装置は、前記電話交換装置の全体を制御し、LANを介してPCと接続し、通信を行い、
前記電話交換装置の複数のサブ主装置は、前記メイン主装置をバックアップし、LANを介してPCと接続し、通信を行う、電話交換装置とPCとの再接続方法であって、
前記複数のサブ主装置は、予め順位が定められており、前記メイン主装置に障害が発生したときに前記順位に応じて前記メイン主装置として動作し、また、現在メイン主装置として動作するサブ主装置に障害が発生したときに前記順位に応じて前記メイン主装置として動作するとともに、前記PCからの接続要求を受け付けると、自身が現在メイン主装置として動作している場合にはその旨を通知し、自身が現在メイン主装置として動作していない場合にはその旨と現在メイン主装置として動作するサブ主装置のIPアドレスを通知し、
前記PCは、前記メイン主装置との通信断を検出すると、前記PCのIPアドレスを記憶する手段に記憶されている前記複数のサブ主装置それぞれのIPアドレスに対し接続を試み、接続を試みたサブ主装置からの通知が、該サブ主装置が新たなメイン主装置であることを示す場合には、該新たなメイン主装置と通信を行い、接続を試みたサブ主装置からの通知が、該サブ主装置が新たなメイン主装置でないことを示す場合には、ともに送られてきたIPアドレスのサブ主装置に接続を行う、電話交換装置とPCとの再接続方法。
【請求項５】
請求項４に記載の電話交換装置とPCとの再接続方法において、
前記PCは、新たにメイン主装置となったサブ主装置のIPアドレスが、前記IPアドレスを記憶する手段に予め設定されていない場合、前記サブ主装置のIPアドレスを前記IPアドレスを記憶する手段に追加設定する、電話交換装置とPCとの再接続方法。
【請求項６】
請求項４または請求項５に記載の電話交換装置とPCとの再接続方法において、
前記メイン主装置とPCとの間の通信データは、前記電話交換装置で算出した通話料金データであり、
前記PCは、通話料金を管理、集計する、電話交換装置とPCとの再接続方法。
【請求項７】
電話交換装置のメイン主装置コンピュータに、前記電話交換装置の全体を制御し、LANを介してPCと接続し、通信を行う処理を実行させるプログラムと、
前記電話交換装置の複数のサブ主装置コンピュータに、前記メイン主装置コンピュータをバックアップし、LANを介してPCと接続し、通信を行う処理を実行させるプログラムとを有する、電話交換装置とPCとの再接続プログラムであって、
前記複数のサブ主装置コンピュータに、
予め順位が定められており、前記メイン主装置コンピュータに障害が発生したときに前記順位に応じて前記メイン主装置コンピュータとして動作し、また、現在メイン主装置コンピュータとして動作するサブ主装置コンピュータに障害が発生したときに前記順位に応じて前記メイン主装置コンピュータとして動作するとともに、前記PCからの接続要求を受け付けると、自身が現在メイン主装置コンピュータとして動作している場合にはその旨を通知し、自身が現在メイン主装置コンピュータとして動作していない場合にはその旨と現在メイン主装置コンピュータとして動作するサブ主装置コンピュータのIPアドレスを通知する処理を実行させるプログラムと、
前記PCに、
前記メイン主装置コンピュータとの通信断を検出すると、前記PCのIPアドレスを記憶する手段に記憶されている前記複数のサブ主装置コンピュータそれぞれのIPアドレスに対し接続を試み、接続を試みたサブ主装置コンピュータからの通知が、該サブ主装置コンピュータが新たなメイン主装置コンピュータであることを示す場合には、該新たなメイン主装置と通信を行い、接続を試みたサブ主装置からの通知が、該サブ主装置コンピュータが新たなメイン主装置コンピュータでないことを示す場合には、ともに送られてきたIPアドレスのサブ主装置コンピュータに接続を行う処理を実行させるプログラムとを有する、電話交換装置とPCとの再接続プログラム。
【請求項８】
請求項７に記載の電話交換装置とPCとの再接続プログラムにおいて、
前記PCに、新たにメイン主装置コンピュータとなったサブ主装置コンピュータのIPアドレスが、前記IPアドレスを記憶する手段に予め設定されていない場合、前記サブ主装置コンピュータのIPアドレスを前記IPアドレスを記憶する手段に追加設定する処理を実行させる、電話交換装置とPCとの再接続プログラム。
【請求項９】
請求項７または請求項８に記載の電話交換装置とPCとの再接続プログラムにおいて、
前記IPアドレスを記憶する手段はIPアドレスリストである、電話交換装置とPCとの再接続プログラム。
【請求項１０】
請求項７から請求項９のいずれか１項に記載の電話交換装置とPCとの再接続プログラムにおいて、
前記メイン主装置コンピュータとPCとの間の通信データは、前記電話交換装置で算出した通話料金データであり、
前記PCに、通話料金を管理、集計する処理を実行させるプログラムを有する、電話交換装置とPCとの再接続プログラム。
【発明の詳細な説明】
【技術分野】
【０００１】
本発明は、電話交換装置とPCとの再接続システム、その再接続方法及びその再接続プログラムに関する。
【背景技術】
【０００２】
複数の電話交換装置（主装置）とPCとが接続されたシステムを構成する場合、複数の電話交換装置の内の１台をメイン主装置として稼動させ、そのメイン主装置とPCとを接続して運用するシステムがある。
【０００３】
具体的には、電話交換装置は、メイン主装置をバックアップする複数のサブ主装置を備えるものとし、PC上で動作するアプリケーションはメイン主装置のIPアドレスを認識するものとし、メイン主装置との間はLANで接続し、PCと複数のサブ主装置との間はLANで接続する構成が挙げられる。
【０００４】
上記のように構成した場合、電話交換装置のメイン主装置が故障等により停止してサブ主装置に切り替わると、利用者が接続された外部PC上で起動しているアプリケーション側で接続するメイン主装置のIPアドレスを手動で設定しなおす必要があった。
【０００５】
電話システムの一例が特許文献１に記載されている。
【０００６】
特許文献１の電話システムにおいては、ボタン電話主装置に接続されたＰＣ装置等で、ボタン電話主装置の返送時間格納部に、各ＩＰ電話機がボタン電話主装置から制御情報を受信してから、各ＩＰ電話機の操作部を操作したことによる制御情報を、ボタン電話主装置へ送信する返送時間を予め格納しておく。そして、ボタン電話主装置の制御部は、返送時間格納部に格納してある返送時間を、各ＩＰ電話機へ送信する制御情報のユーザ情報に乗せ、送信周期格納部に格納してある送信周期に従ってＬＡＮ伝送路へＭＡＣを介して送信する。
【０００７】
ＰＣ装置は、ボタン電話主装置に接続されているものの、ボタン電話主装置が故障等により停止してサブのボタン電話主装置に切り替わると、利用者が接続されたＰＣ装置上で起動しているアプリケーション側で接続するボタン電話主装置のIPアドレスを手動で設定しなおす必要がある。
【０００８】
ＩＰ電話システムの一例が特許文献２に記載されている。特許文献２のＩＰ電話システムにおいては、ＩＰ主装置／構内交換機及びパソコンはＬＡＮインタフェース部を介してＬＡＮへ接続され、パソコンのシリアルバスインタフェース部はＩＰ電話機が接続されたシリアルバスに接続される。
【０００９】
ＩＰ主装置／構内交換機のサーバはＤＨＣＰサーバ機能によってＩＰ電話機のＩＰアドレスを自動設定し、呼制御部はＩＰ電話機の着呼及び発呼を制御する。パソコンのプロトコル変換部はＩＰ主装置／構内交換機と接続するためのＬＡＮのプロトコルとパソコンからＩＰ電話機を接続するためのシリアルバスのプロトコルとの変換を行う。
【００１０】
パソコンは、ＩＰ主装置／構内交換機に接続されているものの、ＩＰ主装置／構内交換機が故障等により停止してサブのＩＰ主装置／構内交換機に切り替わると、利用者が接続されたパソコン上で起動しているアプリケーション側で接続するＩＰ主装置／構内交換機のIPアドレスを手動で設定しなおす必要がある。
【００１１】
ＩＰ電話システムの一例が特許文献３に記載されている。特許文献３のＩＰ電話システムにおいては、運用系の主制御装置、待機系の主制御装置を有する２重化された主制御装置と、冗長化された信号制御装置とを備える。
【００１２】
主制御装置は、装置を２重化構成とし運用系と待機系の主制御装置を備えるものの、運用系の主制御装置が故障等により停止して待機系の主制御装置に切り替わると、利用者が接続された信号制御装置上で起動しているアプリケーション側で接続する主制御装置のIPアドレスを手動で設定しなおす必要がある。
【００１３】
ボタン電話装置の一例が特許文献４に記載されている。特許文献４のボタン電話装置においては、ボタン電話装置（主装置）の電源をオンにすると、ボタン電話装置（主装置）のＩＰ網接続部が動作を開始し、ＩＳＰ（インターネット・サービス・プロバイダ）のサーバに接続する。サーバはＩＰ網接続部のＩＰアドレスを決定し、ＩＰ網接続部へ通知する。ＩＰ網接続部のＩＰアドレスをＩＰ網上のＰＣ（パーソナル・コンピュータ）に電子メールで通知する。パソコンは、通知されたＩＰアドレスに接続することで、監視対象領域の遠隔監視が可能となる。
【００１４】
パソコンは、通知されたＩＰアドレスに接続するものの、ボタン電話主装置（主装置）が故障等により停止してサブのボタン電話装置（主装置）に切り替わると、利用者が接続されたパソコン上で起動しているアプリケーション側で接続するボタン電話主装置（主装置）のIPアドレスを手動で設定しなおす必要がある。
【特許文献１】特開２００２−０２７５１５号公報
【特許文献２】特開２００５−２５２５０４号公報
【特許文献３】特開２００６−２５４０７２号公報
【特許文献４】特開２００６−２７９７６０号公報
【発明の開示】
【発明が解決しようとする課題】
【００１５】
関連する電話交換装置においては、複数の主装置により冗長構成を組む電話交換装置と、その電話交換装置と通信を行うアプリケーションにより構成されるシステムで、電話交換装置全体を制御している主装置が故障等により停止してサブの主装置に切り替わると、利用者が接続された外部PC上で起動しているアプリケーション側で接続する主装置のIPアドレスを手動で設定しなおす必要があり、場合によってはアプリケーションを再起動する必要があった。
【００１６】
また、複数の主装置より冗長構成を組む電話交換装置に新たなサブ主装置が追加された場合に、アプリケーション側に設定している主装置のIPアドレスリストにも追加する必要があった。
【００１７】
特許文献１には、「ＰＣ装置は、ボタン主電話装置に接続されている。」との記載があり、特許文献２には、「ＩＰ電話システムは、ＩＰ主装置及びパソコンはＬＡＮへ接続されている。」との記載があり、特許文献３には、「ＩＰ電話システムは、運用系の主制御装置、待機系の主制装置を有する２重化された主制御装置を備える。」との記載があり、特許文献４には、「パソコンは、通知されたＩＰアドレスに接続する。」との記載がある。
【００１８】
しかし、上記特許文献１〜４には、PCによる主装置との通信断検出、及び設定又は通知されたIPアドレスの主装置への接続についての記載はなく、主装置が故障等により停止してサブの主装置に切り替わると、利用者が接続された外部PC上で起動しているアプリケーション側で接続する主装置のIPアドレスを手動で設定しなおす必要があるという課題を解決する手段の記載はない。
【００１９】
本発明の目的は、電話交換装置全体を制御しているメイン主装置が故障等により自動的に切り替わってしまっても、接続するメイン主装置のIPアドレスを自動的に切り替えることができる電話交換装置とPCとの再接続システム、その再接続方法及びその再接続プログラムを提供することにある。
【課題を解決するための手段】
【００２０】
本発明の電話交換装置とPCとの再接続システムは、電話交換装置の全体を制御するメイン主装置と、メイン主装置をバックアップする複数のサブ主装置とを備えた電話交換装置と、メイン主装置およびサブ主装置とLANを介して接続されて通信を行うPCと、を具備する、電話交換装置とPCとの再接続システムであって、複数のサブ主装置は、予め順位が定められており、メイン主装置に障害が発生したときに順位に応じてメイン主装置として動作し、また、現在メイン主装置として動作するサブ主装置に障害が発生したときに順位に応じてメイン主装置として動作するとともに、PCからの接続要求を受け付けると、自身が現在メイン主装置として動作している場合にはその旨を通知し、自身が現在メイン主装置として動作していない場合にはその旨と現在メイン主装置として動作するサブ主装置のIPアドレスを通知する手段を有し、PCは、メイン主装置との通信断を検出する手段と、メイン主装置および複数のサブ主装置それぞれのIPアドレスを記憶する手段と、通信断を検出する手段がメイン主装置との通信断を検出すると、IPアドレスを記憶する手段に記憶されている複数のサブ主装置それぞれのIPアドレスに対し接続を試み、接続を試みたサブ主装置からの通知が、サブ主装置が新たなメイン主装置であることを示す場合には、新たなメイン主装置と通信を行い、接続を試みたサブ主装置からの通知が、サブ主装置が新たなメイン主装置でないことを示す場合には、ともに送られてきたIPアドレスのサブ主装置に接続を行う手段とを有する。
【００２１】
本発明の電話交換装置とPCとの再接続方法は、電話交換装置のメイン主装置は、電話交換装置の全体を制御し、LANを介してPCと接続し、通信を行い、電話交換装置の複数のサブ主装置は、メイン主装置をバックアップし、LANを介してPCと接続し、通信を行う、電話交換装置とPCとの再接続方法であって、複数のサブ主装置は、予め順位が定められており、メイン主装置に障害が発生したときに順位に応じてメイン主装置として動作し、また、現在メイン主装置として動作するサブ主装置に障害が発生したときに順位に応じてメイン主装置として動作するとともに、PCからの接続要求を受け付けると、自身が現在メイン主装置として動作している場合にはその旨を通知し、自身が現在メイン主装置として動作していない場合にはその旨と現在メイン主装置として動作するサブ主装置のIPアドレスを通知し、PCは、メイン主装置との通信断を検出すると、PCのIPアドレスを記憶する手段に記憶されている複数のサブ主装置それぞれのIPアドレスに対し接続を試み、接続を試みたサブ主装置からの通知が、サブ主装置が新たなメイン主装置であることを示す場合には、新たなメイン主装置と通信を行い、接続を試みたサブ主装置からの通知が、サブ主装置が新たなメイン主装置でないことを示す場合には、ともに送られてきたIPアドレスのサブ主装置に接続を行う。
【００２２】
本発明の電話交換装置とPCとの再接続プログラムは、電話交換装置のメイン主装置コンピュータに、電話交換装置の全体を制御し、LANを介してPCと接続し、通信を行う処理を実行させるプログラムと、電話交換装置の複数のサブ主装置コンピュータに、メイン主装置コンピュータをバックアップし、LANを介してPCと接続し、通信を行う処理を実行させるプログラムとを有する、電話交換装置とPCとの再接続プログラムであって、複数のサブ主装置に、予め順位が定められており、メイン主装置に障害が発生したときに順位に応じてメイン主装置として動作し、また、現在メイン主装置として動作するサブ主装置に障害が発生したときに順位に応じてメイン主装置として動作するとともに、PCからの接続要求を受け付けると、自身が現在メイン主装置として動作している場合にはその旨を通知し、自身が現在メイン主装置として動作していない場合にはその旨と現在メイン主装置として動作するサブ主装置のIPアドレスを通知する処理を実行させるプログラムと、PCに、メイン主装置との通信断を検出すると、PCのIPアドレスを記憶する手段に記憶されている複数のサブ主装置それぞれのIPアドレスに対し接続を試み、接続を試みたサブ主装置からの通知が、サブ主装置が新たなメイン主装置であることを示す場合には、新たなメイン主装置と通信を行い、接続を試みたサブ主装置からの通知が、サブ主装置が新たなメイン主装置でないことを示す場合には、ともに送られてきたIPアドレスのサブ主装置に接続を行う処理を実行させるプログラムとを有する。
【発明の効果】
【００２３】
本発明は、電話交換装置を冗長構成している各サブ主装置がメイン主装置のIPアドレスを知っていて、アプリケーションにそのIPアドレスを通知することができるため、電話交換装置全体を制御しているメイン主装置が故障等により自動的に切り替わってしまっても、アプリケーション側で接続するメイン主装置のIPアドレスを自動的に切り替えることができることにより、ユーザが接続先のIPアドレスを設定しなおすことなく、自動的に接続先を切り替えて再接続できるという効果がある。
【発明を実施するための最良の形態】
【００２４】
（本発明の第１の実施の形態）
図１は、本発明の第１の実施の形態の構成を示す図である。
【００２５】
本発明の第１の実施の形態は、電話交換装置1とPC2から構成される。
【００２６】
電話交換装置1は、メイン主装置11、サブ主装置ａ12〜サブ主装置d15で構成され、LAN（Local Area Network、ローカルエリアネットワーク）３上で接続されている。
【００２７】
通常は、メイン主装置11が電話交換装置1全体を制御している。
【００２８】
メイン主装置11が故障等により停止した場合に電話交換装置1全体が一旦停止するが、予め決められた優先度によりサブ主装置ａ12〜サブ主装置d15のいずれかのサブ主装置がメイン主装置に昇格して電話交換装置1全体を制御し始め、電話交換装置1全体が自動復旧するような冗長構成となっている。
【００２９】
複数のサブ主装置ａ12〜d15は、予め決められた優先度により順位が定められており、メイン主装置11に障害が発生したときに順位に応じてメイン主装置として動作し、また、現在メイン主装置として動作するサブ主装置に障害が発生したときに順位に応じてメイン主装置として動作するとともに、PC2からの接続要求を受け付けると、自身が現在メイン主装置として動作している場合にはその旨を通知し、自身が現在メイン主装置として動作していない場合にはその旨と現在メイン主装置として動作するサブ主装置のIPアドレスを通知する手段121,131を有し、PC2は、メイン主装置との通信断を検出する手段23と、メイン主装置11および複数のサブ主装置ａ12〜d15それぞれのIPアドレスを記憶する手段24と、通信断を検出する手段23がメイン主装置11との通信断を検出すると、IPアドレスを記憶する手段24に記憶されている複数のサブ主装置ａ12〜d15それぞれのIPアドレスに対し接続を試み、接続を試みたサブ主装置からの通知が、サブ主装置が新たなメイン主装置であることを示す場合には、新たなメイン主装置と通信を行い、接続を試みたサブ主装置からの通知が、サブ主装置が新たなメイン主装置でないことを示す場合には、ともに送られてきたIPアドレスのサブ主装置に接続を行う手段25とを有する。
（本発明の第１の実施の形態の動作の説明）
図１〜図５において、本発明の第１の実施の形態の動作を説明する。
【００３０】
図２において、外部PC2は、電話交換装置1のメイン主装置と通信を行うアプリケーション21がインストールされたPCである。
【００３１】
アプリケーション21は接続する主装置のIPアドレスを設定しておくIPアドレスリスト22をもっている。
【００３２】
IPアドレスリスト22には、あらかじめ冗長構成をしているメイン主装置、サブ主装置のIPアドレスを設定しておくが、電話交換装置1の運用状況によりIPアドレスリスト22に登録されていないサブ主装置が追加されたり削除されたりすることもあり得る。
【００３３】
図１、図２及び図４において、通常はメイン主装置11が電話交換装置1全体を御しており、アプリケーション21はメイン主装置11と通信している。
【００３４】
アプリケーション21が、メイン主装置11との通信断を検出したときに、以下の手順により通信の自動復旧が可能である。
１．既知のサブ主装置がメイン主装置となった場合（図１、図２、図３）
（IPアドレスリスト22に設定済みのサブ主装置がメイン主装置に昇格した場合）
（１）アプリケーション21が、メイン主装置11との通信断を検出。
（２）アプリケーション21に設定されているIPアドレスリスト22に基づきアプリケーションが自動的に2番目のIPアドレスのサブ主装置ａ12に接続要求を行う。
（３）サブ主装置ａ12からはメイン主装置であることが通知され、通信が自動復旧できる。
２．未知のサブ主装置がメイン主装置となった場合（図４、図５）
（IPアドレスリスト22に設定されていないサブ主装置がメイン主装置に昇格した場合）
（１）アプリケーション21が、メイン主装置11との通信断を検出。
（２）アプリケーション21に設定されているIPアドレスリスト22に基づきアプリケーションが自動的に２番目のIPアドレスのサブ主装置ａ12に接続要求を行う。
（３）サブ主装置ａ12からはサブ主装置ｂ13がメイン主装置になったことが通知される。
（４）（３）で通知されたIPアドレスのサブ主装置ｂ13に接続要求を行うと、メイン主装置であることが通知され、通信が再開できる。
（５）同時に、アプリケーション21に設定されているIPアドレスリスト22にサブ主装置ｂ13のIPアドレスを追加する。
【００３５】
この方法では、アプリケーション21が常に全ての主装置のIPアドレスを知っている必要はなく、IPアドレスリスト22に設定されている任意の主装置と通信することさえ出来れば、通信を自動的に再開することが可能である。
【００３６】
この間の再接続処理はアプリケーションで自動的に行うことが出来るので、利用者は特に設定を変更しなくてもアプリケーションを継続して利用することできる。
（本発明の第２の実施の形態）
本発明の第２の実施の形態は、図２の電話交換装置1と外部PC2との再接続システムにおいて、メイン主装置11と外部PC2との間の通信データは、電話交換装置1で算出した通話料金データであり、外部PC2は、通話料金を管理、集計する通話料金管理手段を有する。
（本発明の第３の実施の形態）
本発明の第３の実施の形態は、PC、メイン主装置コンピュータ及びサブ主装置コンピュータに本発明の第１及び第２の実施の形態のPC2、外部PC2、メイン主装置11及びサブ主装置ａ12,ｂ13のそれぞれに対応する処理を実行させるプログラムを有する通報受信プログラムの実施形態である。
【図面の簡単な説明】
【００３７】
【図１】本発明の実施の形態の構成を示す図である。
【図２】既知のサブ主装置がメイン主装置となった場合の本発明の実施の形態の動作を説明する図である。
【図３】既知のサブ主装置がメイン主装置となった場合の本発明の実施の形態の動作を説明する図である。
【図４】未知のサブ主装置がメイン主装置となった場合の本発明の実施の形態の動作を説明する図である。
【図５】未知のサブ主装置がメイン主装置となった場合の本発明の実施の形態の動作を説明する図である。
【符号の説明】
【００３８】
１    電話交換装置
２    PC、外部PC
３    LAN
１１    メイン主装置
１２    サブ主装置ａ
１３    サブ主装置ｂ
２１    アプリケーション
２２    IPアドレスリスト
２３    通信断を検出する手段
２４    IPアドレスを記憶する手段
２５    サブ主装置に接続を行う手段
１２１、１３１    IPアドレスを通知する手段
【図１】
0005051652.tif 000002
【図２】
0005051652.tif 000003
【図３】
0005051652.tif 000004
【図４】
0005051652.tif 000005
【図５】
0005051652.tif 000006